(57)【特許請求の範囲】
【請求項１】
複数条の苗載せ面が形成された傾斜姿勢の苗載せ台と、夫々の苗載せ面に載置された苗の下端から苗を切り出して圃場面に移植する複数の植付機構と、苗載せ台を横方向に往復移動させる横送り機構とを備えて成る田植機の苗植付装置であって、
前記苗載せ台が、苗載せ台の一方の端部位置の分離苗載せ台と、この分離苗載せ台が連結する主苗載せ台とで構成されると共に、これらの連結と分離とを行う連結手段を備え、この連結手段の連結解除によって分離された分離苗載せ台を支持する格納部が主苗載せ台の分離苗載せ台側の端部位置に形成され、又、前記主苗載せ台と分離苗載せ台とが連結した状態で前記分離苗載せ台が、苗載せ台を支持する側のフレームと非連結状態にあり、前記分離苗載せ台を主苗載せ台から完全に分離した状態で且つ分離苗載せ台が分離する方向に移動するに伴って、分離苗載せ台が前記フレームに対して補助アームを介して自動的に連結させる自動連係機構を備えるとともに、分離された分離苗載せ台が前記補助アームを介して前記フレームに連結されたフレーム側連結部を中心とした揺動によって、主苗載せ台の苗載せ面の上方に案内して格納部にセットするように構成してある田植機の苗植付装置。
【請求項２】
前記格納部に前記分離苗載せ台を支持する支持部材を備え、この支持部材に対して分離苗載せ台の重量を受け止めて支持するよう構成されている請求項１記載の田植機の苗植付装置。
【請求項３】
前記補助アームが、前記分離苗載せ台を前記格納部まで案内した状態で揺動姿勢が規制され、この揺動規制状態の補助アームで分離苗載せ台の重量を受け止めて支持するよう構成されている請求項１記載の田植機の苗植付装置。
【請求項４】
前記分離苗載せ台を前記格納位置にセットした際に、この分離苗載せ台の全幅より少ない幅が主苗載せ台と重複するよう前記格納部の格納形態が設定されている請求項１〜３のいずれか１項に記載の田植機の苗植付装置。
【請求項５】
前記分離苗載せ台の幅が２条に設定され、格納部において主苗載せ台との重複量が略１条に設定されている請求項４記載の田植機の苗植付装置。
【請求項６】
前記苗載せ台を、分離苗載せ台が形成された側の横方向への移動端、あるいは、この移動端の近傍に設定した状態でのみ、主苗載せ台から分離苗載せ台の分離を行えるよう構成されている請求項１〜５のいずれか１項に記載の田植機の苗植付装置。
【請求項７】
前記苗載せ台を分離苗載せ台が形成された側の横方向への移動端より外側の格納開始位置に設定した状態で主苗載せ台から分離苗載せ台を分離して格納部への移動を行えるよう構成されている請求項１〜５のいずれか１項に記載の田植機の苗植付装置。
【発明の詳細な説明】
【０００１】
【発明の属する技術分野】
本発明は、複数条の苗載せ面が形成された傾斜姿勢の苗載せ台と、夫々の苗載せ面に載置された苗の下端から苗を切り出して圃場面に移植する複数の植付機構と、苗載せ台を横方向に往復移動させる横送り機構とを備えて成る田植機の苗植付装置に関し、詳しくは、トラックでの運搬時や格納時において苗載せ台の横方向での寸法を縮小する技術に関する。
【０００２】
【従来の技術】
上記のように構成された苗植付装置として特開平１０‐３３０３３号公報に示されるものが存在し、この従来例では、苗載せ台が中央位置の苗載せ部と、この両端の苗載せ部とで構成されると共に、夫々の苗載せ部をロック機構によって連結する状態と、このロック機構による連結を解除して分離する状態とに切換自在に構成され、トラックで運搬する場合には、ロック機構による連結を解除して両端の苗載せ部を分離し、このように分離した苗載せ部を、中央位置の苗載せ部の両側部の苗載せ面の側に乗せ付ける状態に支持することで苗載せ台の横幅方向での寸法を縮小し得るものとなっている。
【０００３】
【発明が解決しようとする課題】
苗載せ台の横幅方向での寸法の縮小を図る場合に、従来の技術のように苗載せ台の両端部を分離するものでは、中央の苗載せ部に対して両端の２箇所にロック機構を備え、両端の苗載せ部を着脱自在に構成する必要から構造が複雑化しやすい。そこで、苗載せ台の一方の端部だけを分離自在に構成し、この分離自在に構成された側の端部に苗載せ台を移動させた状態で、苗載せ台の端部を分離することで従来の技術と同様に苗載せ台の横幅方向での寸法の縮小を可能にすると同時に、構造の簡素化を図ることも考えられている。しかし、分離した苗載せ台を乗せ付ける場合には、分離した苗載せ台を作業者が持ち上げた状態で予め設定された乗せ付け位置まで移動させてセットすることになるので、重く扱い難いばかりでなく、乗せ付け位置へのセットに手間取ることも多く、苗載せ台を合理的な位置で分離して横幅方向での寸法の縮小を図り得る構造が望まれている。
本発明の目的は、苗載せ台を合理的な位置で分割して楽な操作で横幅方向での寸法の縮小を図り得る田植機の苗植付装置を構成する点にある。
【０００４】
【課題を解決するための手段】
本発明の第１の特徴（請求項１）は、複数条の苗載せ面が形成された傾斜姿勢の苗載せ台と、夫々の苗載せ面に載置された苗の下端から苗を切り出して圃場面に移植する複数の植付機構と、苗載せ台を横方向に移動自在に支持する摺動レールと、この摺動レールに沿って苗載せ台を往復移動させる横送り機構とを備えて成る田植機の苗植付装置において、前記苗載せ台が、苗載せ台の一方の端部位置の分離苗載せ台と、この分離苗載せ台が連結する主苗載せ台とで構成されると共に、これらの連結と分離とを行う連結手段を備え、この連結手段の連結解除によって分離された分離苗載せ台を支持する格納部が主苗載せ台の分離苗載せ台側の端部位置に形成され、又、前記主苗載せ台と分離苗載せ台とが連結した状態で前記分離苗載せ台が、苗載せ台を支持する側のフレームと非連結状態にあり、前記分離苗載せ台を主苗載せ台から完全に分離した状態で且つ分離苗載せ台が分離する方向に移動するに伴って、分離苗載せ台が前記フレームに対して補助アームを介して自動的に連結させる自動連係機構を備えるとともに、分離された分離苗載せ台が前記補助アームを介して前記フレームに連結されたフレーム側連結部を中心とした揺動によって、主苗載せ台の苗載せ面の上方に案内して格納部にセットするように構成してある点にあり、その作用、及び、効果は次の通りである。
【０００５】
本発明の第２の特徴（請求項２）は請求項１において、前記格納部に前記分離苗載せ台を支持する支持部材を備え、この支持部材に対して分離苗載せ台の重量を受け止めて支持するよう構成されている点にあり、その作用、及び、効果は次の通りである。
【０００６】
本発明の第３の特徴（請求項３）は請求項１において、前記補助アームが、前記分離苗載せ台を前記格納部まで案内した状態で揺動姿勢が規制され、この揺動規制状態の補助アームで分離苗載せ台の重量を受け止めて支持するよう構成されている点にあり、その作用、及び、効果は次の通りである。
【０００７】
本発明の第４の特徴（請求項４）は請求項１〜３のいずれか１項において、前記分離苗載せ台を前記格納位置にセットした際に、この分離苗載せ台の全幅より少ない幅が主苗載せ台と重複するよう前記格納部の格納形態が設定されている点にあり、その作用、及び、効果は次の通りである。
【０００８】
本発明の第５の特徴（請求項５）は請求項４において、前記分離苗載せ台の幅が２条に設定され、格納部において主苗載せ台との重複量が略１条に設定されている点にあり、その作用、及び、効果は次の通りである。
【０００９】
本発明の第６の特徴（請求項６）は請求項１〜５のいずれか１項において、前記苗載せ台を、分離苗載せ台が形成された側の横方向への移動端、あるいは、この移動端の近傍に設定した状態でのみ、主苗載せ台から分離苗載せ台の分離を行えるよう構成されている点にあり、その作用、及び、効果は次の通りである。
【００１０】
本発明の第７の特徴（請求項７）は請求項１〜５のいずれか１項において、前記苗載せ台を分離苗載せ台が形成された側の横方向への移動端より外側の格納開始位置に設定した状態で主苗載せ台から分離苗載せ台を分離して格納部への移動を行えるよう構成されている点にあり、その作用、及び、効果は次の通りである。
【００１１】
〔作用〕
【００１２】
上記第１の特徴によると、分離苗載せ台を格納部にセットする場合には、連結手段の連結解除によって分離苗載せ台を主苗載せ台から分離し、主苗載せ台から分離した分離苗載せ台は分離する方向に移動させるに伴って、自動連係機構により苗載せ台を支持する側のフレームに対して補助アームを介して自動的に連結され、分離苗載せ台を前記補助アームを介して前記フレーム側の連結部を中心として揺動させることで、この補助アームの揺動端に連係する分離苗載せ台を格納部の適正な位置に案内することが可能となる。つまり、従来例のように分離苗載せ台を持ち上げる操作を行う必要がないばかりか、補助アームが案内する方向に分離苗載せ台を移動するだけで、分離苗載せ台を格納部の適正な位置まで送り、又、苗植付装置のフレーム側を中心として補助アームが揺動する構造であるので、例えば、補助アームが主苗載せ台に連係する構造のものと比較して強固な支持が可能となって分離苗載せ台を安定して高い精度で案内し得るものとなる。
【００１３】
上記第１の特徴によると、主苗載せ台と分離苗載せ台とを連結して作業を行っている場合には、分離苗載せ台は苗載せ台を支持する側のフレームとは非連結状態にあるので苗載せ台の横移動の妨げにならず、主苗載せ台から分離苗載せ台を分離した場合に分離苗載せ台が分離する方向に移動するに伴って自動連係機構により分離苗載せ台が前記フレームに対して補助アームを介して自動的に連結させるものとなり、作業者が手動で連係を行わずに済むものとなる。
【００１４】
上記第２の特徴によると、格納部に分離苗載せ台をセットした場合には支持部材が分離苗載せ台の重量を受け止める状態で支持するので、この重量を利用して分離苗載せ台の位置を安定的に維持することが可能となる。
【００１５】
上記第３の特徴によると、格納部に分離苗載せ台をセットした場合には、補助アームの揺動が規制されることで補助アームが分離苗載せ台の重量を受け止める状態で支持するので、この重量を利用して分離苗載せ台の位置を安定的に維持することが可能となる。
【００１６】
上記第４の特徴によると、分離苗載せ台を格納部にセットした場合には主苗載せ台の端部から分離苗載せ台の一部が外方に張り出す形態となるので、この張り出しの部分に対して補助アームの端部を容易に連係させることが可能となり、例えば、補助苗載せ台の端部と主苗載せ台の端部とを一致させる形態で格納位置にセットするものを構成する場合より連係構造を単純化できるものとなる。
【００１７】
上記第５の特徴によると、苗載せ台の横幅方向で１条分の幅を縮小できるものとなる。
【００１８】
上記第６の特徴によると、苗載せ台を分離苗載せ台が形成された側の横方向への移動端、あるいは、この移動端の近傍に設定した状態でのみ、主苗載せ台から分離苗載せ台を分離できるので、苗載せ台の横方向での寸法を縮小する際の誤操作を解消できるばかりか、この分離によって取り外した分離苗載せ台の点検や修理を容易に行えるものとなる。又、分離苗載せ台の分離を行った際には、横方向の一方に寄せた苗載せ台の突出側の突出量を減ずることになるので、従来例のように苗載せ台の両端部を分離する構造を採用しなくても両側方への張り出しを減ずることが可能となる。
【００１９】
上記第７の特徴によると、苗載せ台を分離苗載せ台が形成された側の横方向への移動端より外側の格納開始位置に設定した状態でのみ、主苗載せ台から分離苗載せ台を分離して格納部への移動ができるので、苗載せ台の横方向での寸法を縮小する際の誤操作を解消できるばかりか、横方向の一方に寄せた苗載せ台の突出側の突出量を減ずる方向に操作する分離苗載せ台を移動させることになるので、従来例のように苗載せ台の両端部を分離する構造を採用しなくても両側方への張り出しを減ずることが可能となる。
【００２０】
〔発明の効果〕
従って、苗載せ台を分割し補助アームを介して分離苗載せ台を揺動案内すると云う簡単な操作で横幅方向での寸法の縮小を図り得る田植機の苗植付装置が構成されたのであり、又、苗載せ台を必然的に適正な位置に設定して誤操作を阻止した状態で、かつ、手間を掛けずに苗載せ台の横方向での寸法を縮小する操作を行えるものとなった（請求項１）。又、格納部に対して分離苗載せ台を安定的に保持できるものとなり（請求項２、３）、分離苗載せ台と補助アームとの連係を簡素化して製作を容易にするものとなり（請求項４、５）、誤操作を阻止した簡単な操作で苗載せ台の両側方への突出を低減して横幅方向への寸法の縮小と、分離苗載せ台の点検や修理を楽に行えるものとし（請求項６）、誤操作を阻止した操作で苗載せ台の両側方への突出を低減して横幅方向への寸法の縮小を楽に行えるものとなったのである（請求項７）。
【００２１】
【発明の実施の形態】
以下、本発明の実施の形態を図面に基づいて説明する。
図１に示すように、ステアリング操作される駆動型の前車輪１、及び、駆動型の後車輪２を備えた走行機体の前部にエンジン３を搭載すると共に、この走行機体の前部にエンジン３からの動力が伝えられる静油圧式の無段変速装置Ｈ、この無段変速装置Ｈからの動力が伝えられる前部位置のミッションケース４、及び、このミッションケース４からの動力が伝えられる後部位置の後車軸ケース５夫々を配置し、又、走行機体の中央部にステアリングハンドル６と運転座席７とを配置し、走行機体の後端部に対しリフトシリンダ８で駆動昇降操作される平行４連型のリンク機構Ｌを介して８条植用の苗植付装置Ａを連結し、又、走行機体の後部に施肥装置Ｂを備えて水田作業機としての田植機を構成する。
【００２２】
前記ミッションケース４には左右の前車輪１，１に動力を伝える差動機構（図示せず）と、単位走行距離に対する苗植付装置Ａの苗植付作動回数を設定する株間変速機構（図示せず）とを内蔵すると共に、このミッションケース４から苗植付装置Ａに対する動力の伝動と遮断とを行う植付クラッチＣとを内蔵している。又、前記後車軸ケース５には左右の後車輪２，２に動力を伝える伝動機構（図示せず・差動機構は備えていない）を内蔵している。
【００２３】
運転座席７の前方のメータパネル部の左側部に前記無段変速装置Ｈを変速操作する主変速レバー９を配置し、運転座席７の左側部に前記ミッションケース内のギヤ式の副変速装置（図示せず）を変速操作する副変速レバー１０を配置し、運転座席８の右側部に苗植付装置Ａの昇降制御と植付クラッチＣの制御とを行う昇降レバー１１を配置し、ステアリングハンドル７の近傍位置に強制昇降レバー１２を配置してある。尚、昇降レバー１１は苗植付装置Ａの昇降制御と、植付クラッチＣの入り切りの制御とを行い、又、強制昇降レバー１２は接地状態にある苗植付装置Ａを上限まで強制的に上昇させる制御と、この強制上昇と連動して植付クラッチＣを切る制御と、この強制上昇制御で上昇状態にある苗植付装置Ａを接地レベルまで強制的に下降させる制御とを行うものとなっており、植付クラッチＣは図３４に示す如く電動モータＣＭの駆動力で入り切り制御されるよう構成されている。
【００２４】
図１〜図６に示すように、前記リンク機構Ｌは左右一対のトップリンク１５と左右一対のロアーリンク１６と、後端の縦リンク１７とで構成され、この縦リンク１７の下端部に対して、苗植付装置Ａの伝動ケース１８が前後向き姿勢のローリング軸芯Ｘ周りでローリング自在に連結されている。又、伝動ケース１８に対して走行機体３からの動力が伝えられる伝動軸１９が形成され、苗植付装置Ａはこの伝動ケース１８と、この伝動ケース１８に連結する横長姿勢の角パイプ状のツールフレーム２０と、このツールフレーム２０に前端が連結固定され、前記伝動ケース１８からの動力が分岐して伝えられる４つのチェーンケース２１と、夫々のチェーンケース２１の後部の左右位置に配置された８条分の植付機構Ｄと、マット状苗Ｗを載置する傾斜姿勢の苗載せ台２２と、５つの整地フロート２３とを備えている。尚、この５つの整地フロート２３のうち左右方向での中央位置のもの２３Ｃは圃場面Ｓに追従して苗植付装置Ａの昇降制御を行う際のセンサフロートとして使用される。
【００２５】
前記施肥装置Ｂは、粒状や粉状の肥料を貯留するホッパー２６を備えると共に、このホッパー２６からの肥料を繰出す８条分の繰り出し機構２７と、繰出し機構２７から繰り出された肥料を風圧で送るようブロアモータ２８Ｍで駆動される送風ブロア２８と、この送風ブロア２８からの送風作用によって肥料が送られる８本の施肥ホース２９と、これらの施肥ホース２９からの肥料を圃場面Ｓ下に送り込むよう前記５つの整地フロート２３に支持された８つの作溝器３０とを備えて構成されている。
【００２６】
図７、図８、図１２に示すように植付機構Ｄは、前記チェーンケース２１からの動力で横向き姿勢の軸芯周りで回転するロータリケース３３と、このロータリケース３３に一対ずつ取付けられた植付アーム３４と、夫々の植付アーム３４に備えた植付爪３５とを有し、植付作業時には苗載せ台２２に載置したマット状苗Ｗの下端から植付爪３５が苗を切り出して圃場面Ｓに移植する作動を行うよう構成されている。又、夫々のチェーンケース２１の後端部に畦際クラッチＥを内蔵し、この畦際クラッチＥの切り操作によって左右一対のロータリケース３３への伝動を遮断して、２条の植付を停止し得るものとなっている。図５、図６に示すように、前記伝動ケース１８の左側面には、螺旋溝３７Ｓが形成された螺軸３７をゴム製の蛇腹で覆う状態で、かつ、横向き姿勢の軸芯周りで突設してあり、この螺軸３７の螺旋溝３７Ｓに係入するコマ部材３８をホルダー３９を介して苗載せ台２２の反苗載せ面の側に固設することで横送り機構Ｆを構成してあり、この横送り機構Ｆによって苗載せ台２２を横方向に往復作動させるものとなっている。又、前記伝動ケース１８の右側面には横向き姿勢の軸芯周りで回転自在に駆動軸４１を配置し、この駆動軸４１に対し前記螺軸３７による苗載せ台２２の往復移動ストロークに等しい間隔で一対の駆動アーム４２，４２を備えている。
【００２７】
図２、図３に示すように、前記チェーンケース２１の上面に横長姿勢の摺動レール４３を備え、苗載せ台２２の反苗載せ面の側に上下方向の中央位置に横長姿勢のガイドレール４４を備え、前記ツールフレーム２０の両端部に立設した左右の支柱４５、４５同士に亘って横長姿勢のパイプフレーム４６を備え、前記苗載せ台下面の案内シュー４７（図２１を参照）を摺動レール４３に載置すると同時に、図７〜図１１に示すように、パイプフレーム４６に備えた複数のガイドローラ４８をガイドレール４４に係入することで、摺動レール４３とガイドレール４４とによって苗載せ台２２を左右方向に移動自在に支持している。尚、ツールフレーム２０の両端位置には摺動レール４３の左右外端に張り出す形状の丸パイプ製の保護フレーム４９を備えている。
【００２８】
図３、図４に示すように、縦リンク１７の上端位置と苗載せ台２２との間にバランスバネ５１を介装すると共に、この縦リンク１７の上端に備えたローリングモータ５２の駆動力でネジ式に横方向に作動するロッド５３の両端と前記パイプフレーム４６との間にローリングバネ５４を介装することでローリングモータ５２の駆動力で苗植付装置Ａをローリング作動させるローリング作動系を構成してある。そして、この構成によって苗載せ台Ａが左右にスライド作動して左右の重量バランスが崩れる場合にもバランスバネ５１の付勢力によって苗植付装置Ａの姿勢を大きく崩すことがなく、又、走行機体が左右方向に傾斜した際にはローリングモータ５２の駆動力でロッド５３を作動させローリングバネ５４を介して苗植付装置Ａのローリング姿勢を修正することによって、該苗植付装置Ａを圃場面Ｓに追従する姿勢に維持できるものとなっている。
【００２９】
図２、図３、図１８、図１９に示すように、苗載せ台２２には縦壁２２Ａを境界位置に配置した８つの苗載せ面２２Ｂが備えられると共に、夫々の苗載せ面２２Ｂにはマット状苗Ｗの浮き上がりを阻止するよう複数の苗ステー５８と、マット条苗Ｗを下方に送る縦送り機構Ｇと、縦壁２２Ａに内装する状態の苗残量センサＴとを備えている。苗ステー５８は上部位置の支柱体５９と下部位置の支持プレート６０との間に亘って支持されている。図１６、図２１、図２２、図２３に示すように、苗載せ台２２の下部に横向き姿勢の軸芯周りで回動自在に断面形状六角の縦送り軸６１を備え、前記縦送り機構Ｇは縦送り軸６１に外嵌する下部ローラ６２と、この上方に配置された上部ローラ６３と、これらに巻回した縦送りベルト６４とで構成されている（同図に示すように１条の苗載せ面２２Ｂに対して左右一対の縦送りベルト６４が配置されている）。又、縦送り軸６１には前記左右一対の駆動アーム４２、４２に接当する被操作アーム６５と、この被操作アーム６５からの駆動力を縦送り軸６１に伝える一方向クラッチ６６とを備え、縦送り軸６１からの回転動力を隣接する２条の縦送り機構Ｇ、Ｇに対して伝えるようレバー６７を介して操作される縦送りクラッチＪを隣接する下部ローラ６２の間に備えている。又、苗残量センサＴは、苗載せ台２２に載置されたマット状苗Ｗに接当するよう突出付勢された接当片６８と、この接当片６８の姿勢から苗Ｗの存否を判別するリミットスイッチ６９とで構成されている。
【００３０】
尚、前記整地フロート２３は後部位置の横向き姿勢の軸芯周りでの揺動によって、その前端部が上下に変位するよう支持され、この整地フロート２３うち左右方向での中央位置のフロート２３Ｃの揺動姿勢から苗植付装置Ａと圃場面Ｓとの上下方向での相対距離を計測する検出系を備え、この検出系からの検出結果を目標値に維持するよう前記リフトシリンダ８を制御する昇降制御手段（図示せず）を備えている。又、図３に示すように、苗植付装置Ａの前面側にはレバーガイド７１に係合支持される状態で苗取り量調節レバー７２と植付深さ調節レバー７３が備えられ、これらのレバー７２、７３のうち苗取り調節レバー７２は上下方向に操作することで摺動レール４３を上下方向に変位させて植付爪３５の作動軌跡と摺動レール４３の相対位置の変化から苗の取り出し量を調節できるものとなり、又、植付深さレバー７３は上下に調節することで整地フロート２３の後端位置を上下に変位させることで植付爪３５の作動軌跡と圃場面Ｓとの相対位置の変化から植付爪３５が圃場面Ｓに対して苗を挿入する深さを調節できるものとなっている。
【００３１】
このように構成されたので、苗の移植を行う場合には苗取り量と植付深さとを必要な値に設定した状態で、圃場面Ｓに追従して苗植付装置Ａの昇降を行う制御状態で前記植付クラッチＣを入り操作することにより、横送り機構Ｆからの駆動力で苗載せ台２２を摺動レール４３に沿って横方向に送りながら、苗載せ台２２に載置したマット状苗Ｗの下端の苗を植付爪３５が横方向に順次切り出して圃場面Ｓに移植すると共に、苗載せ台２２が横移動方向の端部に達すると駆動アーム４２に対する被操作アーム６５との接当で縦送り軸６１を設定量だけ回転させて夫々の縦送り機構Ｇを作動させてマット状苗Ｗを下方に送るものとなっている。そして、苗の植付条数を減ずる場合には、前記畦際クラッチＥと縦送りクラッチＪとに連係する４つの畦際クラッチレバー７４（図１を参照）の何れかを選択して切り操作することで植付条の２条単位の植付を停止できるものとなっている。
【００３２】
この苗植付装置Ａでは、苗載せ台２２のうち前記被操作アーム６５と反対側の端部の２条の苗載せ面部分を分離苗載せ台２２Ｓに設定し、残りの６条の苗載せ面部分を主苗載せ台２２Ｍに設定し、この主苗載せ台２２Ｍに対して分離苗載せ台２２Ｓを連結手段Ｋを介して連結及び分離自在に構成すると共に、主苗載せ台２２Ｍの分離苗載せ台２２Ｓの側の端部位置の苗載せ面２２Ｂの側に分離苗載せ台２２Ｓを支持する格納部Ｐを形成し、又、連結手段Ｋの連結解除によって分離された分離苗載せ台２２Ｓを格納部Ｐまで案内する補助アーム７７を備えている。
【００３３】
つまり、前記ガイドレール４４は主苗載せ台２２Ｍと分離苗載せ台２２Ｓとに対応した寸法に予め分割され、図２２、図２３に示すように、前記縦送り軸６１は主苗載せ台２２Ｍと分離苗載せ台２２Ｓとに対応した寸法に予め分割されると共に、分割面の位置には分離苗載せ台２２Ｓ側の縦送り軸６１の端部に外嵌して一体回転するブッシュ７８を主苗載せ台２２Ｍ側の縦送り軸６１に対してスライド移動自在に外嵌し、かつ、バネ７９で突出方向に付勢して成るジョイントを備えている。苗ステー５８は主苗載せ台２２Ｍの６条分のものと、分離苗載せ台２２Ｓの２条分のものとが形成され、前記苗残量センサＴのうち分割面に位置するものは、図１６、図１８に示すように、主苗載せ台２２Ｍ側に取り付けた支持プレート８０を介して備えられている。
【００３４】
前記連結手段Ｋは、図１３〜図１９に示すように、主苗載せ台２２Ｍの端部に固設されたナット８１と、分離苗載せ台２２Ｓに横方向に貫通するノブ８２Ｎ付きのネジ軸８２とで構成された上下一対のロックネジと、図１１、図１２に示すように、揺動操作によって基端部の挟圧部材８３Ａが分離苗載せ台２２Ｓ側の縦壁２２Ａと主苗載せ台２２Ｍ側の縦壁２２Ａとを挟圧して連結する状態と、この挟圧状態を解除する状態とに切換自在な挟圧部８３Ａを備えた３つのロックレバー８３とで成っている。又、下部のノブ８２Ｎの位置を前記摺動レール４３の上面近傍位置に配置することで、苗載せ台２２が分離苗載せ台２２Ｓの側のストロークエンドに達した際にのみ摺動レール４３に妨げられることなく回動操作を行えるものとなっている（図１６を参照）。更に、主苗載せ台２２Ｍと分離苗載せ台２２Ｓとの分割面の下部位置には、図２２に示すように、主苗載せ台２２Ｍの側に軸８５周りで揺動によって分離苗載せ台２２Ｓの被係合部８６に係合する揺動片８７をバネ８８の付勢力で係合方向に付勢して備えてあり、この揺動片８７は苗載せ台２２全体が分離苗載せ台２２Ｓ側の端部に達した際に摺動レール４３に備えた接当片８９との接当によりバネ８８の付勢力に抗して係合解除方向に揺動作動するよう構成されている。又、図１７に示すように、上方のロックネジを構成するナット８１の近傍位置に主苗載せ台２２Ｍの側と分離苗載せ台２２Ｓが分離したことを検出するリミットスイッチ型の分離センサ９０を備えている。尚、この分離センサ９０は主苗載せ台２２Ｍの構成部材にセンサ本体が支持され、このセンサ本体から突出する接触片が分離苗載せ台２２Ｓの構成部材に接触することで接触の有無を判別するものが用いられる。
【００３５】
図２４に示すように、主苗載せ台２２Ｍの分割面の上部位置に貫通孔９１を穿設し、この貫通孔９１に係合する係合ピン９２を分割苗載せ台２２Ｓの側に備えてあり、図７〜図１２、図２０、図２５に示すように、前記格納部Ｐは主苗載せ台２２Ｍの苗載せ面２２Ｂの側の上部位置に設けたアーチ状のロッド９５の外端側に備えたゴム製の支持部材９６と、内端側の係合用のバネ板材９７とを備えると共に、主苗載せ台２２Ｍの苗載せ面２２Ｂの側の下部位置に設けたアーチ状のロッド９８に両端位置に備えたゴム製の支持部材９６と、この下部位置において分離苗載せ台２２Ｓの下部を上方から押さえ込むよう横向き姿勢の軸芯周りでの揺動自在、かつ、バネ９９で押圧方向に付勢された押圧ロッド１００とを備えて構成されている。尚、バネ板材９７には係合孔部９７Ａとガイド面９７Ｂとが形成されており、分離苗載せ台２２Ｓの苗載せ面側の下部位置には把手１０１（図１９を参照）を備えている。
【００３６】
図１５、図１７、図２４〜図２９に示すように、前記補助アーム７７は、金属板を上下方向に広幅のチャンネル状に成形した素材が用いられると共に、分離苗載せ台２２Ｓの上下方向の中間位置に連結固定された支持部材１０３に対して縦向き姿勢の支軸１０４周りで揺動自在に支持されて成り、この補助アーム７７の反支持部材側の端部の下面は反支持部材側ほど低レベルとなる傾斜面と連なる状態で水平姿勢の接当面７７Ｓが形成され、又、傾斜面の近傍位置に横向き姿勢の軸芯周りで遊転支持されたガイドローラ１０５を備え、更に、この端部には下方に向けて縦向き姿勢の軸体１０６を突設し、この軸体１０６の下端には接当アーム１０７を備えている。又、支軸１０４の近傍位置に対して支持部材１０３に固設される被係合部材１０８を配置してあり、この被係合部材１０８の係合孔１０８Ａに係脱するロック片１０９を補助アーム７７の長手方向に沿ってスライド作動自在なロッド１１０の一方の端部に備え、ロック片１０９を係合孔１０８Ａの方向に付勢するバネ１１１を備えることで、この係合孔１０８Ａに対するロック片１０９の係合によって補助アーム７７を分離苗載せ台２２Ｓと平行な姿勢に維持できるよう構成してあり、このロッド１１０の反ロック片側の端部を折り曲げて被操作部１１０Ａを形成してある。
【００３７】
又、前記パイプフレーム４６の分離苗載せ台２２Ｓの側の端部に対して金属板を折り曲げ成形して上壁と下壁とを一体形成したブラケット１１３を備えると共に、このブラケット１１３の上壁と下壁との間に前記軸体１０６を抱き込む円弧状の接当部材１１４を備え、この接当部材１１４に対して軸体１０６を案内するガイド凹部１１３Ａ，１１３Ａを上壁と下壁とに形成し、又、この接当部材１１４に接当した軸体１０６に係合保持するようバネ１１５で付勢され、軸１１６周りで揺動自在な一対のロックアーム１１７を備え、更に、ブラケット１１３の上壁に連なる状態で分離苗載せ台２２Ｓの外端側ほど高いレベルとなる傾斜面となる案内面１１３Ｓを形成している。
【００３８】
図３２、図３３に示すように前記保護フレーム４９は、前記ツールフレーム２０に対して横方向に出退自在に支持されると共に、基端側と先端側とにロック孔４９Ａ、４９Ａを穿設してあり、ツールフレーム２０に固設した支持部材１１８に対して夫々のロック孔４９Ａ、４９Ａに係脱自在なロックピン１１９を係合方向にバネ１２０で付勢する状態で備えている。又、図３１（イ）、（ロ）に示すように前記摺動レール４３を主摺動レール４３Ｍと、この摺動レール本体４３Ｍの両端位置の分離摺動レール４３Ｓ、４３Ｓとで分離及び連結自在に連結して構成してある。具体的には主摺動レール４３Ｍの両端の下面側に、この主摺動レール４３Ｍの下面に備えたボルト１２２と螺合する蝶ナット１２３を備え、分離摺動レール４３Ｓの分割端の下面側にはボルト１２２に外嵌したカラー１２４で締め付けられるよう切り欠き部が形成されたプレート１２５を備えている。そして、摺動レール４３を分割する場合には蝶ナット１２３を緩め操作して分離摺動レール４３Ｓを外方に引き操作することで主摺動レール４３Ｍから分離摺動レール４３Ｓを取り外せるものとなっている。尚、このように取り外した分離摺動レール４３Ｓは、左右の支柱４５夫々に設けた係止片１２６に対して、その開口部に左右を挿通する状態で係止することで苗植付装置Ａに保持されるものとなっている。
【００３９】
この田植機では、苗植付装置Ａの横幅が２．７メートル程度の寸法になっており、この寸法を縮小することで、４トントラックの荷台の横幅方向の寸法２．４メートル以内に収まるものとなっている。そして、この寸法の縮小を行う際には、以下の手順で操作を行うものとなっている。
【００４０】
まず、昇降レバー１１の操作で植付クラッチＣを入り制御して苗載せ台２２を分離苗載せ台の側の端部（同図で左側の移動端）まで移動させ、この端部に達したタイミングで植付クラッチＣを切って移動を停止させ、次に、この状態でロックネジのノブ８２Ｎとロックレバー８３との操作によって主苗載せ台２２Ｍに対して分離苗載せ台２２Ｓを分離する。このように苗載せ台２２を端部位置にセットした場合には、図２２に示す如く揺動片８７が接当片８９との接当によって係合解除姿勢に達しており、この状態では分離苗載せ台２２Ｓを摺動レール４３に沿って外方に移動可能となっている。そして、図１７、図１８に示すように、分離苗載せ台２２Ｓを外方に引き操作することで分離苗載せ台２２Ｓと補助アーム７７とが一体的に外方に移動するものとなり、図２６、図２７に示すように、この移動によって補助アーム７７のガイドローラ１０５がブラケット１１３の案内面１１３Ｓとの接当によって該分離苗載せ台２２Ｓを上方に持ち上げ、更に移動操作を継続することで、ブラケット１１３の上面に補助アーム７７の接当面７７Ｓが乗り上げた状態に達すると同時に、図２９に示すように、補助アーム７７の軸体１０６がブラケット１１３の接当部材１１４に接当する位置まで送られる結果、ロックアーム１１７が軸体１０６を抱き込んでロック状態に達する。尚、このように分離苗載せ台２２Ｓを移動操作することで補助アーム７７を連係状態に設定する系で自動連係機構が構成されている。
【００４１】
この状態に達すると、即ち、分離苗載せ台２２Ｓが格納開始位置に達すると、ロッド１１０の端部の被操作部１１０Ａが接当部材１１４に接当してロック片１０９を被係合部材１０８の係合孔１０８Ａから分離させて補助アーム７７の支軸１０４周りでの揺動を許すものとなっており、この状態では分離苗載せ台２２Ｓが持ち上げられることで補助苗載せ台２２Ｓの案内シュー４７が摺動レール４３から浮き上がり、図１７に示す如く、分離苗載せ台２２Ｓのガイドレール４４に形成された切り欠き部４４Ａがガイドローラ４８の位置に達する結果、これらに妨げられること無く、分離苗載せ台２２Ｓを後方に引き出せるものとなっている。
【００４２】
次に、前記把手１０１を作業者が握る等の形態で分離苗載せ台２２Ｓを後方に引き出す操作を行うことで、図２５に示すように、補助アーム７７が軸体１０６の軸芯周りで揺動することによって分離苗載せ台２２Ｓを主苗載せ台２２Ｍの側に案内すると同時に、支軸１０４周りでの分離苗載せ台２２Ｓの揺動によって該分離苗載せ台２２Ｓの苗載せ面２２Ｂの姿勢を主苗載せ台２２Ｍの苗載せ面２２Ｂと平行となる姿勢に維持でき、この揺動の移動端に分離苗載せ台２２Ｓを送ることで分離苗載せ台２２Ｓを格納位置Ｐにセットできるものとなっている。このセット時には係合ピン９２がバネ板材９７の係合孔９７Ａに対して係合するものとなり（図３０を参照）、又、図１２に示すように、この状態で押圧ロッド１００によって分離苗載せ台２２Ｓの下部を押圧することで分離苗載せ台２２Ｓを格納部Ｐに保持できるものとなっている。このように分離苗載せ台２２Ｓが格納部Ｐにセットされた場合には、平面視において、この分離苗載せ台２２Ｓの内側の１条だけが、主苗載せ台２２Ｍに重複するものとなっており、この重複量、即ち、１条分の寸法（約３０センチメートル）だけ苗載せ台２２の横幅の縮小が可能となっている。
【００４３】
補助アーム７７が分離苗載せ台２２Ｓを格納部Ｐに案内する場合には、揺動操作の初期において前記軸体１０６の下端に形成した接当アーム１０７がブラケット１１３の下壁の下面に接当して補助アーム７７の傾斜を抑制するものとなっており、又、図２５に示すように、前記補助アーム７７は主苗載せ台２２Ｍの苗載せ面２２Ｂと直交する姿勢のデッドポイントＤＰを越えることになるので、格納部Ｐにセットされた分離苗載せ台２２Ｓは自重によって主苗載せ台２２Ｍに支持される状態で位置が安定するものとなっている。
【００４４】
この後に、蝶ボルト１２３を緩め操作して両端の分離摺動レール４３Ｓ、４３Ｓを取り外して左右の支柱４５に設けた係止片１２６（図９を参照）に対して、図４に示すように、その開口部に挿通する状態で係止し、両端の保護フレーム４９のロックピン１１９を抜き出し保護フレームを内方に押し込んだ後に外端側のロック孔４９Ａを選択してロックピン１１９を挿通することで苗植付装置Ａ全体の横幅が縮小されるものとなっている。この後、補助苗載せ台２２Ｓを主苗載せ台２２Ｍに連結する場合には逆の操作を行うことで済むものなっている。
【００４５】
この田植機では、昇降制御用、及び、植付クラッチＣ制御用の制御系が図３４に示すようにマイクロプロセッサを有した制御装置１３０を備えて構成されている。つまり、この制御装置１３０に対して、前記昇降レバー１１の操作位置を計測するポテンショメータ型のレバーセンサ１１Ｓ、前記強制昇降レバー１２の操作を検出する強制昇降スイッチ１２Ｓ、前記整地フロート２３Ｃの姿勢を計測するフロートセンサ２３Ｓ、感度設定ダイヤル１３１で操作される感度設定器１３１Ｓ、リンク機構Ｌの姿勢から苗植付装置Ａが上限に達したことを判別する上限センサ１３２、前記分離センサ９０夫々からの信号が入力する系が形成されると共に、前記リフトシリンダ８に対する作動油の制御を行う電磁弁８Ｖ、前記植付クラッチＣを制御する電動モータＣＭ夫々に制御信号を出力する系が形成されている。そして、この制御装置１３０では苗植付装置Ａの整地フロート２３を圃場面Ｓに接地させ、圃場面Ｓに追従する昇降制御を行う場合には、感度設定器１３１Ｓで設定される感度値に対応した目標姿勢に整地フロート２３Ｃの姿勢を維持する自動制御を行い、又、この自動制御時に強制昇降レバー１２が上昇方向に操作されたことを強制昇降センサ１２Ｓからの信号で検出した場合には自動制御に優先して電磁弁８Ｖを制御して苗植付装置Ａの上昇を開始すると共に、電動モータＣＭを制御して植付クラッチＣの切り操作を行い、上限センサ１３２で苗植付装置Ａが上限まで上昇したことを検出すると上昇を停止し、更に、この上昇状態で強制昇降レバー１２が下降方向に操作されたことを強制昇降センサ１２Ｓからの信号で検出した場合には整地フロート２３が接地するまで苗植付装置Ａを下降させ、整地フロート２３が接地した後には自動制御に復帰するものとなっている。特に、この制御装置１３０では、主苗載せ台２２Ｍから分離苗載せ台２２Ｓを分離した状態にあることを分離センサ９０からの信号で検出した場合には昇降レバー１１の操作時にも植付クラッチＣの入り制御を行えないようにプログラムが設定されている。
【００４６】
このように、本発明では、補助アーム７７の一方の端部が分離苗載せ台２２Ｓの側に支持されているので、両端を連係するものと比較して着脱自在に構成すべき連係部分を単一にして構造の簡素化を可能にすると共に、苗植付装置Ａの横幅方向の寸法を縮小する場合には苗載せ台２２を分離苗載せ台２２Ｓの側の移動端に設定し、連結手段Ｔの連結を解除して人為操作で分離苗載せ台２２Ｓを主苗載せ台２２Ｍから分離する操作を行うだけで、補助アーム７７が苗植付装置Ａの側のパイプフレーム４６の側に自動的に連係し、この連係状態で分離苗載せ台２２Ｓを苗載せ面の側に移動させる操作を行うだけで、補助アーム７７の揺動によって分離苗載せ台２２Ｓを円弧状の軌跡に沿って分離苗載せ台２２Ｓを格納部Ｐに案内して適正な位置にセットできるものとなっている。又、この構造によると主苗載せ台２２Ｍから分離苗載せ台２２Ｓを分離した直後に分離苗載せ台２２Ｓを取り外すことも可能であり、この分離苗載せ台２２Ｓの点検や修理を楽に行うことも可能である。特に、苗載せ台２２を分離苗載せ台２２Ｓの側の移動端に設定した場合に分離苗載せ台２２Ｓの分離を許す構造を備えているので、苗載せ台２２を誤った位置にセットして操作を開始する不都合が無く、このように苗載せ台２２を適正な位置にセットして分離苗載せ台２２Ｓを分離して外方に移動した場合にのみ補助アーム７７の連係が自動的に行われるので、作業者の操作の手間を省き、更に、補助アーム７７の揺動による円滑な作動で分離苗載せ台２２を格納部Ｐにセットして苗載せ台２２の横方向での寸法の縮小を楽に行えるものとなっている。
【００４７】
〔別実施の形態〕
本発明は上記実施の形態以外に、例えば、補助アーム７７を上下一対形成することで分離苗載せ台２２Ｓの全重量を支え得るよう構成すると共に、補助アーム７７の揺動を規制するストッパー等の部材を備えることで主苗載せ台２２Ｍの格納部Ｐに対して分離苗載せ台２２Ｓを案内した場合に、分離苗載せ台２２Ｓを格納部Ｐに保持するよう設定して受け止める支持部材等を備えずに構成することも可能である。又、補助アーム７７の一方の端部を苗植付装置Ａのパイプフレーム４６等に揺動自在に支持し、非連係時には、この補助アーム７７の揺動を規制し、苗載せ台２２を移動端部に寄せ、分離苗載せ台２２Ｓを分離し更に分離方向に移動操作した際に本発明の実施例と同様に規制された揺動を許すとともに補助アーム７７の他方の端部が分離苗載せ台２２Ｓの側に自動的に連結するよう構成して実施することも可能である。
【図面の簡単な説明】
【図１】  田植機の全体側面図
【図２】  苗植付装置の平面図
【図３】  苗植付装置の正面図
【図４】  格納状態の苗植付装置の正面図
【図５】  苗植付装置の概略平面図
【図６】  格納状態の苗植付装置の概略平面図
【図７】  苗植付装置の側面図
【図８】  格納状態の苗植付装置の側面図
【図９】  苗植付装置の上部の側面図
【図１０】  苗植付装置の下部の側面図
【図１１】  格納状態の苗植付装置の上部の側面図
【図１２】  格納状態の苗植付装置の下部の側面図
【図１３】  苗載せ台の端部位置の正面図
【図１４】  分離状態の苗載せ台の端部位置の正面図
【図１５】  苗載せ台の端部位置の上部の正面図
【図１６】  苗載せ台の端部位置の下部の正面図
【図１７】  分離状態の苗載せ台の端部位置の上部の正面図
【図１８】  分離状態の苗載せ台の端部位置の下部の正面図
【図１９】  分離苗載せ台の下部の後面図
【図２０】  分離苗載せ台を格納位置にセットした状態の下面図
【図２１】  縦送り機構の駆動系の側面図
【図２２】  分割部位の下部の正面図
【図２３】  分割部位の縦送り軸を示す断面図
【図２４】  補助アームの平面図
【図２５】  格納状態での補助アームを示す平面図
【図２６】  補助アームの正面図
【図２７】  移動状態の補助アームの正面図
【図２８】  補助アームのロック構造を示す断面図
【図２９】  ロックアームを示す平面図
【図３０】  バネ板材を示す斜視図
【図３１】  摺動レールの連結状態と分離状態とを示す図
【図３２】  保護フレームの平面図
【図３３】  保護フレームの断面図
【図３４】  制御系のブロック回路図
【符号の説明】
２２        苗載せ台
２２Ｂ      苗載せ面
２２Ｍ      主苗載せ台
２２Ｓ      分離苗載せ台
７７        補助アーム
９６        支持部材
Ａ          苗植付装置
Ｄ          植付機構
Ｆ          横送り機構
Ｋ          連結手段
Ｐ          格納部
Ｗ          苗
【図１】
0003746402.tif 000002
【図２】
0003746402.tif 000003
【図３】
0003746402.tif 000004
【図４】
0003746402.tif 000005
【図５】
0003746402.tif 000006
【図６】
0003746402.tif 000007
【図７】
0003746402.tif 000008
【図８】
0003746402.tif 000009
【図９】
0003746402.tif 000010
【図１０】
0003746402.tif 000011
【図１１】
0003746402.tif 000012
【図１２】
0003746402.tif 000013
【図１３】
0003746402.tif 000014
【図１４】
0003746402.tif 000015
【図１５】
0003746402.tif 000016
【図１６】
0003746402.tif 000017
【図１７】
0003746402.tif 000018
【図１８】
0003746402.tif 000019
【図１９】
0003746402.tif 000020
【図２０】
0003746402.tif 000021
【図２１】
0003746402.tif 000022
【図２２】
0003746402.tif 000023
【図２３】
0003746402.tif 000024
【図２４】
0003746402.tif 000025
【図２５】
0003746402.tif 000026
【図２６】
0003746402.tif 000027
【図２７】
0003746402.tif 000028
【図２８】
0003746402.tif 000029
【図２９】
0003746402.tif 000030
【図３０】
0003746402.tif 000031
【図３１】
0003746402.tif 000032
【図３２】
0003746402.tif 000033
【図３３】
0003746402.tif 000034
【図３４】
0003746402.tif 000035